(57)【要約】【課題】打撃点のオフセットにより旋回の発生を防ぐ高い慣性モーメントのゴルフクラブヘッドを提供する。【解決手段】ゴルフクラブヘッド１００は、溝付きのストライキングゾーン１０２ａを有する正面１０２と、正面１０２と表裏の関係にある背面１０４と、頂部１１２と、底部と、トゥ部１０８と、ヒール部と、シャフト固定孔１２０ａを有するホーゼル部１２０とを備える。トゥ部１０８の表面は、第１縁部に沿って正面１０２と接続し、トゥ部１０８がホーゼル部１２０から離れる方向で第１縁部から外側へ延伸されることにより、正面を含む平面上のトウ部の垂直投影は、正面の外側に位置し、底部の表面は、トレーリングエッジ１１６に沿って背面１０４と接続し、第２縁部に沿ってトゥ部１０８の表面と接続し、トレーリングエッジ１１６と第２縁部とのなす角度は９０度よりも小さい。【選択図】図１Ｃ
0003149563.tif 000002
【実用新案登録請求の範囲】
【請求項１】
ゴルフボールの打撃に用いる溝付きのストライキングゾーンを有する正面と、
前記正面と表裏の関係にある背面と、
頂部と、
底部と、
トゥ部と、
ヒール部と、
シャフト固定孔を有するホーゼル部と、を備え、
前記トゥ部の表面は、第１縁部に沿って前記正面と接続し、
前記トゥ部が前記ホーゼル部から離れる方向で前記第１縁部から外側へ延伸されることにより、前記正面を含む平面に前記トゥ部を投影すると、前記トゥ部は前記正面の外側に位置し、
前記底部の表面は、トレーリングエッジに沿って前記背面と接続し、第２縁部に沿って前記トゥ部の表面と接続し、前記トレーリングエッジと前記第２縁部とのなす角度は９０度より小さいことを特徴とするゴルフクラブヘッド。
【請求項２】
前記トレーリングエッジと前記第２縁部とのなす角度は３０度〜９０度の間であることを特徴とする請求項１に記載のゴルフクラブヘッド。
【請求項３】
前記トレーリングエッジは、前記正面に向かって凹んだ中央部分を有することを特徴とする請求項１に記載のゴルフクラブヘッド。
【請求項４】
垂直軸周辺で３０００ｇ／ｃｍ2〜６０００ｇ／ｃｍ2の間の慣性モーメントを有し、
前記垂直軸は、前記ゴルフクラブヘッドの重心を通り、前記ゴルフクラブヘッドの置かれた地面に対して垂直であることを特徴とする請求項１に記載のゴルフクラブヘッド。
【請求項５】
前面視で前記トゥ部の外端点である点Ａと、前面視で前記第１縁部の外端点である点Ｂとの間の距離ＡＢは、少なくとも４ｍｍであることを特徴とする請求項１に記載のゴルフクラブヘッド。
【請求項６】
前記底部が地面に置かれるとき、前面視で前記トゥ部の外端点の前記地面上の垂直投影点である点Ａと、前記シャフト固定孔の中心軸の前記地面上における投影点である点Ｂとの間である距離ＡＢは、
前記点Ｂと、前面視で前記第１の縁部の外端点の前記地面上の垂直投影点である点Ｃとの間の距離ＢＣより大きいことを特徴とする請求項１に記載のゴルフクラブヘッド。
【請求項７】
前記背面は、前記正面に向かって凹んだキャビティを有することを特徴とする請求項１に記載のゴルフクラブヘッド。
【請求項８】
前記底部の表面は、前記トレーリングエッジに沿って前記背面と接続し、平面視で前記トレーリングエッジと、外端点で前記トゥ部と接する接線とのなす角度は、９０度よりも小さいことを特徴とする請求項１に記載のゴルフクラブヘッド。
【請求項９】
前記トレーリングエッジと前記接線とのなす角度は、３０度〜９０度の間であることを特徴とする請求項８に記載のゴルフクラブヘッド。
【考案の詳細な説明】
【技術分野】
【０００１】
本考案は、高い慣性モーメントを有するゴルフクラブヘッドに関する。
【背景技術】
【０００２】
ゴルフボールの理想的な打撃には、（１）ゴルフクラブヘッドの正面の打撃点と、ゴルフクラブヘッドの重心と、ゴルフボールの重心とを一直線に配列させることと、（２）ゴルフクラブヘッドの正面を、ゴルフボールを飛ばす方向に対して垂直にすることとの２つの重要な要素が必要である。ゴルフボールを打撃する際、ゴルフクラブヘッドの正面の打撃点と、ゴルフクラブヘッドの重心と、ゴルフボールの重心とが一直線に配列されない場合、伝わるエネルギが最大でなくなり、ゴルフボールの飛距離が短くなることがある。また、ゴルフボールを打撃する際、ゴルフクラブヘッドの正面がゴルフボールを飛ばしたい方向に対して垂直でない場合、ゴルフボールを飛ばしたいルートから外れる。
【０００３】
図４に示すように、ゴルフクラブヘッドの正面４０８の打撃点４０２がゴルフクラブヘッドのトゥ部に対して横方向にオフセットした場合、ゴルフクラブヘッドの正面４０８の打撃点４０２と、ゴルフクラブヘッドの重心４０４と、ゴルフボールの重心４０６とが一直線に配列されずに、ゴルフボールの飛距離が短くなる上、ゴルフクラブヘッドの重心を通過する軸の周囲にある打撃点４０２のオフセットによりゴルフクラブヘッドが回転するため、打撃精度に悪い影響を与える。
【０００４】
上述したことから分かるように、経験豊富なゴルファーにとってもゴルフボールの理想的な打撃は非常に難しい。そのため、打撃点のオフセットにより発生する旋回を低減させるゴルフクラブヘッドが求められている。
【考案の概要】
【考案が解決しようとする課題】
【０００５】
本考案の目的は、高い慣性モーメントにより良好な旋回抑止特性を有し、打撃点のオフセットにより旋回が発生することを防ぐ、高い慣性モーメントのゴルフクラブヘッドを提供することである。
【課題を解決するための手段】
【０００６】
上述の目的を達成するため、請求項１の考案では、ゴルフボールの打撃に用いる溝付きのストライキングゾーンを有する正面と、正面と表裏の関係である背面と、頂部と、底部と、トゥ部と、ヒール部と、シャフト固定孔を有するホーゼル部と、を備え、トゥ部の表面は、第１縁部に沿って正面と接続し、トゥ部がホーゼル部から離れる方向で第１縁部から外側へ延伸されることにより、正面を含む平面にトゥ部を投影すると、トゥ部は正面の外側に位置し、底部の表面は、トレーリングエッジに沿って背面と接続し、第２縁部に沿ってトゥ部の表面と接続し、トレーリングエッジと第２縁部とのなす角度は９０度よりも小さいことを特徴とする。
【０００７】
請求項２の考案では、トレーリングエッジと第２縁部とのなす角度は３０度〜９０度の間であることを特徴とする。
【０００８】
請求項３の考案では、トレーリングエッジは、正面に向かって凹んだ中央部分を有することを特徴とする。
【０００９】
請求項４の考案では、垂直軸周辺で３０００ｇ／ｃｍ2〜６０００ｇ／ｃｍ2の間の慣性モーメントを有し、垂直軸は、ゴルフクラブヘッドの重心を通り、ゴルフクラブヘッドが置かれた地面に対して垂直であることを特徴とする。
【００１０】
請求項５の考案では、前面視でトゥ部の外端点である点Ａと、前面視で第１の縁部の外端点である点Ｂとの間の距離ＡＢは、少なくとも４ｍｍであることを特徴とする。
【００１１】
請求項６の考案では、底部が地面に置かれるとき、前面視でトゥ部の外端点の地面上の垂直投影点である点Ａと、シャフト固定孔の中心軸の地面上における投影点である点Ｂとの間である距離ＡＢは、点Ｂと、前面視で第１縁部の外端点の地面上の垂直投影点である点Ｃとの間の距離ＢＣよりも大きいことを特徴とする。
【００１２】
請求項７の考案では、背面は、正面に向かって凹んだキャビティを有することを特徴とする。
【００１３】
請求項８の考案では、底部の表面は、トレーリングエッジに沿って背面と接続し、平面視でトレーリングエッジと、外端点でトゥ部と接する接線とのなす角度は、９０度よりも小さいことを特徴とする。
【００１４】
請求項９の考案では、トレーリングエッジと接線とのなす角度は、３０度〜９０度の間であることを特徴とする。
（考案の効果）
【００１５】
本考案のゴルフクラブヘッドは、打撃精度を高めて、試合での成績を向上させることができる。これにより、ゴルファーの競争力を高めることができる。
【図面の簡単な説明】
【００１６】
【図１Ａ】本考案の第一実施形態によるゴルフクラブヘッドを示す正面図である。
【図１Ｂ】本考案の第一実施形態によるゴルフクラブヘッドを示す底面図である。
【図１Ｃ】本考案の第一実施形態によるゴルフクラブヘッドを示す平面図である。
【図１Ｄ】本考案の第一実施形態によるゴルフクラブヘッドを示す側面図である。
【図２】本考案の特定の実施形態によるゴルフクラブヘッドを示す平面図である。
【図３Ａ】本考案の第二実施形態によるゴルフクラブヘッドを示す正面図である。
【図３Ｂ】本考案の第二実施形態によるゴルフクラブヘッドを示す底面図である。
【図３Ｃ】本考案の第二実施形態によるゴルフクラブヘッドを示す平面図である。
【図３Ｄ】本考案の第二実施形態によるゴルフクラブヘッドを示す平面図である。
【図４】従来のゴルフクラブヘッドでゴルフボールを打撃する際のゴルフクラブヘッドとゴルフボールとの間の相対位置を示す正面図である。
【考案を実施するための形態】
【００１７】
以下、本考案の実施形態を図面に基づいて説明する。なお、これにより本考案が限定されるものではない。
【００１８】
図１Ａ〜図１Ｄは、本考案の第一実施形態によるゴルフクラブヘッド１００を示す図である。このゴルフクラブヘッド１００は中空クラブヘッドである。ゴルフクラブヘッド１００は、正面１０２と、正面１０２と表裏の関係にある背面１０４（図１Ｃに示す）と、ゴルフクラブヘッドの上部に形成された頂部１１２（図１Ｃに示す）と、ゴルフクラブヘッドの下部に形成された底部１１４（図１Ｂに示す）と、トゥ部１０８と、ヒール部１０６と、シャフト固定孔１２０ａを有するホーゼル部１２０と、を含む。正面１０２は、ゴルフボールの打撃に用いる溝付きのストライキングゾーン１０２ａを有する。この溝付きのストライキングゾーン１０２ａ上の複数の水平に延伸されたスコアライン１０２ｂは、底部１１４に対して略平行である。
【００１９】
ゴルフクラブヘッドは、一般に打球面および本体の２つの部分を含む。上述の溝付きのストライキングゾーン１０２ａは、正面１０２の一部を構成する打球面上に配置される。この打球面は、鍛造金属（例えば、Ｃｐ−Ｔｉ、６−４チタン合金、１５−３−３−３チタン合金、純チタン）から構成されてもよい。特定の実施形態において、打球面の金属材料には、ステンレス鋼、炭素鋼、アルミ合金、その他高強度鋼合金金属およびアモルファス金属が含まれる。本体は、ゴルフクラブヘッドの打球面以外の上述の部分を含む。本体は、炭素鋼（例えば、ＪＩＳのＳ２０ＣまたはＳ２５Ｃの炭素鋼）、ステンレス鋼（例えば、１７−４ＰＨステンレス鋼）、合金鋼、Ｆｅ−Ｍｎ−Ａｌ合金、ニッケル基合金、鋳鉄、超合金鋼、純チタン、チタン合金（例えば、６−４チタン合金またはＣｐ−Ｔｉ）、アルミ合金、マグネシウム合金または銅合金などの金属材料からなる。上述の打球面および本体は一体成形させることができる。或いは、本実施形態のゴルフクラブヘッドは、ロストワックス法により打球面が装着された開口を有する本体が一体に鋳造されて製造され、開口に配置された打球面が本体と溶接されてもよい。溶接工程を行うときは、さらに溶接製品に対して研削または時効硬化を行ってもよい。さらに、上述の打球面および本体は、鋳造（ｃａｓｔｉｎｇ）、鍛造、成形、機械加工、粉末金属成形、金属射出成形、電気化学研磨などの方法により製造してもよい。
【００２０】
ここで、ゴルフクラブヘッド１００のトゥ部１０８の表面は、第一縁部１１０に沿って正面１０２と接続し（図１Ａに示す）、トゥ部１０８は、ホーゼル部１２０から離れる方向で、第一縁部１１０から外側へ延伸される。そのため、正面１０２を含む平面にトゥ部１０８を投影すると、トゥ部１０８は正面１０２の外側に位置する。図１Ｃを参照する。図１Ｃの点線は、従来のゴルフクラブヘッドの輪郭を示し、正面１０２を含む平面にトゥ部を投影すると、トゥ部は正面内側へ完全に位置する。本考案の目的の一つは、点線内のトゥ部１０８に材料を再配分させてクラブヘッドの慣性モーメントを高めることにある。さらに、ゴルフクラブヘッド１００の底部１１４の表面は、トレーリングエッジ１１６に沿って背面１０４と接続し（図１Ｂおよび図１Ｃに示す）、第二縁部１１８の部分でトゥ部１０８と接続する。トレーリングエッジ１１６と第二縁部１１８とのなす角度θ１（図１Ｂに示す）は９０度よりも小さい。特定の実施形態では、トレーリングエッジ１１６と第二縁部１１８とのなす角度θ１（図１Ｂに示す）を３０度〜９０度の間に形成する。このように、ゴルフクラブヘッドの材料をトゥ部１０８に再分配することができる。
【００２１】
本実施形態のゴルフクラブヘッド１００の慣性モーメントは、３０００ｇ／ｃｍ2〜６０００ｇ／ｃｍ2の間である。この慣性モーメントは、ゴルフクラブヘッド１００の重心（Ｃｅｎｔｅｒ  ｏｆ  Ｇｒａｖｉｔｙ：ＣＧ）を通り、ゴルフクラブヘッド１００が置かれた地面Ｇ（図１Ａに示す）に対して垂直である垂直軸Ｌ（図１Ａに示す）の周囲と定義する。慣性モーメントの定義（Ｉ＝∫ｒ2ｄｍ）によると、ゴルフクラブヘッド１００のｄｍ（ｄｉｆｆｅｒｅｎｔｉａｌ  ｍａｓｓ）と回転軸との間の距離ｒは、慣性モーメントを計算するときに、ｄｍよりも影響が大きいため、垂直軸Ｌの周囲でクラブヘッドの慣性モーメントを有効に向上させることができる。
【００２２】
ゴルフクラブヘッド１００の慣性モーメントは、クラブヘッドの打ち損じ（ｍｉｓ−ｈｉｔ）許容量を提供することが可能である。ゴルフクラブヘッド１００の大きなサイズおよび大きな周囲重みの少なくとも１つは、重心を通る垂直軸Ｌ周囲において慣性モーメントが高くなることを表す。ゴルフクラブヘッド１００の垂直軸Ｌ周囲における慣性モーメントが高い場合、打ち損じに反応してゴルフクラブヘッド１００の回転量が小さくなり、打撃ミスにより飛距離が短くなることを防ぐことができる。そのため、ゴルフクラブヘッド１００の慣性モーメントが高いときに、前述のゴルフクラブヘッド１００の正面１０２の打撃点と、ゴルフクラブヘッド１００の重心と、ゴルフボールの重心とが一直線に形成されずに打撃精度に悪影響を与える状態を改善させることができる。
【００２３】
特定の実施形態において、ゴルフクラブヘッド１００のトレーリングエッジ１１６は、正面１０２に向かって凹んだ中央部分を有するため、ゴルフクラブヘッド１００の重量をトゥ部１０８へ分配させてゴルフクラブヘッド１００の慣性モーメントをさらに向上させることができる。ゴルフクラブヘッド１００のトレーリングエッジ１１６の中央部分は、特定の実施形態では弧状の延伸構造であるが、この幾何構造だけに限定されるわけではなく、線状の延伸構造などにしてもよい。
【００２４】
図２に示すように、特定の実施形態では、ゴルフクラブヘッド２００の背面１０４ａに、正面１０２に向かって凹んだキャビティ１０４ｂを設け、ゴルフクラブヘッド２００のトゥ部１０８またはヒール部１０６に多くの材料を分配させることにより、ゴルフクラブヘッド２００の慣性モーメントをさらに向上させることができる。
【００２５】
特定の実施形態において、ゴルフクラブヘッド１００のトレーリングエッジ１１６と接線１２２（図１Ｃに示す）とのなす角度θ２は、９０度よりも小さい。接線１２２とは、上面視でトゥ部１０８の外端点Ａに接する線である。特定の実施形態において、トレーリングエッジ１１６と接線１２２とのなす角度θ２（図１Ｃに示す）は、３０度〜９０度の間である。
【００２６】
角度θ１および／または角度θ２が９０度よりも小さい場合、ゴルフクラブヘッド１００の慣性モーメントが増大し、打撃点のオフセットにより低下する打撃精度を向上させることができる。
【００２７】
特定の実施形態において、点Ａと点Ｂとの間の距離ＡＢは少なくとも４ｍｍである（図１Ａに示す）。Ａ点は、前面視でトゥ部１０８の外端点であり（図１Ａに示す）、Ｂ点は、前面視で第一縁部１１０の外端点である。
【００２８】
図１Ａに示すように、ゴルフクラブヘッド１００の底部１１４が地面Ｇ上に置かれたとき、点Ｃと点Ｄとの間の距離ＣＤは点Ｄと点Ｅとの間の距離ＤＥよりも大きい。点Ｃは、前面視でトゥ部１０８の外端点Ａの前述の地面Ｇ上の垂直投影点を示す。点Ｄは、ホーゼル部１２０のシャフト固定孔１２０ａの中心軸の地面Ｇ上における投影点を示す。点Ｅは、前面視で第一縁部１１０の外端点の地面Ｇ上の垂直投影点を示す。特定の実施形態の距離ＣＤは、距離ＤＥより少なくとも４ｍｍ大きい。
【００２９】
図３Ａ〜図３Ｃに示すように、本考案の第二実施形態によるゴルフクラブヘッド３００は、アイアンクラブヘッドである。このゴルフクラブヘッド３００は、正面１０２と、正面１０２と表裏の関係にある背面１０４ｃ（図３Ｃに示す）と、頂部１１２（図３Ｃに示す）と、底部１１４ａ（図３Ｂに示す）と、トゥ部１０８と、ヒール部１０６と、シャフト固定孔１２０ａを有するホーゼル部１２０と、を含む。正面１０２は、ゴルフボールの打撃に用いる溝付きのストライキングゾーン１０２ａを有する。この溝付きのストライキングゾーン１０２ａの複数の水平に延伸されたスコアライン１０２ｂは、底部１１４ａに対して略平行である。
【００３０】
本実施形態において、ゴルフクラブヘッド３００のトゥ部１０８の表面は、第一縁部１１０に沿って正面１０２と接続し（図３Ａに示す）、トゥ部１０８は、ホーゼル部１２０から離れる方向で第一縁部１１０から外側へ延伸されるため、正面１０２を含む平面にトゥ部１０８を投影すると、トゥ部１０８は正面１０２の外側に位置する。図３Ｄを参照する。図３Ｄの点線は、従来のゴルフクラブヘッドの輪郭を示し、正面を含む平面上のトゥ部の突起が正面内側へ完全に位置する。本考案の目的の一つは、点線内のトゥ部１０８に材料を再分配させてゴルフクラブヘッドの慣性モーメントを向上させることにある。さらに、ゴルフクラブヘッド３００の底部１１４ａの表面は、トレーリングエッジ１１６ａに沿って背面１０４ｃと接続する（図３Ｂおよび図３Ｃに示す）。トレーリングエッジ１１６ａは、少なくとも正面１０２に向かって凹んだ中央部分を有する（図３Ｂおよび図３Ｃに示す）。この構造により、ゴルフクラブヘッド１００の慣性モーメントを増大させ、打撃点のオフセットにより低下する打撃精度を向上させることができる。
【００３１】
本実施形態において、トレーリングエッジ１１６ａは弧状の延伸構造である中央部分を有する。或いは、トレーリングエッジ１１６ａの中央部分は直線状の延伸構造でもよい。本実施形態のゴルフクラブヘッド３００の慣性モーメントは、３０００ｇ／ｃｍ2〜６０００ｇ／ｃｍ2の間であり、この慣性モーメントの計算方法は上述の方法と同じである。特定の実施形態において、ゴルフクラブヘッド３００の背面１０４ｃは、正面１０２に向かって凹んだキャビティ１０４ｄを含み、トゥ部１０８に多くの材料を分配させることができる。
【００３２】
図３Ａに示すように、特定の実施形態において、点Ａと点Ｂとの間の距離ＡＢは少なくとも４ｍｍである。底部１１４ａが地面Ｇ上に置かれると（図３Ａに示す）、距離ＣＤが距離ＤＥよりも大きくなる。これらの点および距離の定義は、図１Ａで説明した定義と同じであるため、ここでは繰り返して述べない。
【００３３】
以上、当該分野の技術を熟知するものが理解できるように本考案の好適な実施形態を開示したが、本考案は上述した実施形態に限定されるものではなく、本考案の主旨と領域を脱しない範囲内で各種の変更や修正を加えることができる。従って、本考案の実用新案登録請求の範囲は、このような変更や修正を含めて広く解釈される。
【符号の説明】
【００３４】
１００：ゴルフクラブヘッド、１０２：正面、１０２ａ：溝付きのストライキングゾーン、１０２ｂ：スコアライン、１０４：背面、１０４ａ：背面、１０４ｂ：キャビティ、１０４ｃ：背面、１０４ｄ：キャビティ、１０６：ヒール部、１０８：トゥ部、１１０：第一縁部、１１２：頂部、１１４：底部、１１４ａ：底部、１１６：トレーリングエッジ、１１６ａ：トレーリングエッジ、１１８：第二縁部、１２０：ホーゼル部、１２０ａ：シャフト固定孔、１２２：接線、２００：ゴルフクラブヘッド、３００：ゴルフクラブヘッド、４０２：打撃点、４０４：重心、４０６：重心、４０８：正面、Ａ：点、ＡＢ：距離、Ｂ：点、Ｃ：点、ＣＤ：距離、ＣＧ：重心、Ｄ：点、ＤＥ：距離、Ｅ：点、Ｇ：平面、Ｌ：垂直軸
【図１Ａ】
0003149563.tif 000003
【図１Ｂ】
0003149563.tif 000004
【図１Ｃ】
0003149563.tif 000005
【図１Ｄ】
0003149563.tif 000006
【図２】
0003149563.tif 000007
【図３Ａ】
0003149563.tif 000008
【図３Ｂ】
0003149563.tif 000009
【図３Ｃ】
0003149563.tif 000010
【図３Ｄ】
0003149563.tif 000011
【図４】
0003149563.tif 000012